(57)【要約】【課題】スライドレールと引き出しの側壁との間の間隙を小さくすることにより、安定性及び載荷重能力を高める工具用キャビネットの引き出し用スライドレール固定構造を提供する。【解決手段】工具用キャビネットの引き出し用スライドレール固定構造は、工具用キャビネット１０、複数の引き出し２０及び少なくとも２つのスライドレール４０を備える。工具用キャビネット１０は、中空状の箱形キャビネットであって、少なくとも２つのガイドレール１２に対応して係合される２つの内側面１１を有する。引き出し２０は、工具用キャビネット１０の内部に上下に配列して収納され、各引き出し２０の何れか１つの外側面２０１には、逆Ｌ字形の第１の係合ベース２１及び第２の係合ベース２６が貫設され、第１の係合ベース２１及び第２の係合ベース２６の前後両側の引き出し２０壁面には、圧接ブロックがそれぞれ突設される。【選択図】図１
0003185102.tif 000002
【実用新案登録請求の範囲】
【請求項１】
工具用キャビネット、複数の引き出し及び少なくとも２つのスライドレールを備えた工具用キャビネットの引き出し用スライドレール固定構造であって、
工具用キャビネットは、中空状の箱形キャビネットであり、少なくとも２つのガイドレールに対応して係合される２つの内側面を有し、
引き出しは、工具用キャビネットの内部に上下に配列して収納され、各引き出しの何れか１つの外側面には、逆Ｌ字形の第１の係合ベース及び第２の係合ベースが貫設され、第１の係合ベース及び第２の係合ベースの前後両側の引き出し壁面には、圧接ブロックがそれぞれ突設され、
スライドレールには、略下向きのコ字状の第１の係合片及び第２の係合片が貫設され、引き出しの第１の係合ベース及び第２の係合ベースへそれぞれ係合され、スライドレールがガイドレールと摺動自在に嵌合され、引き出しが工具用キャビネット内で摺動自在であり、
各圧接ブロックには、第１の枢着孔が形成され、各スライドレールの対応した箇所に形成された第２の枢着孔に、複数の固定部材を挿設させることにより、スライドレールを圧接ブロックへ密着させて位置決めすることを特徴とする工具用キャビネットの引き出し用スライドレール固定構造。
【請求項２】
第２の係合ベースの外側面頂部の所定箇所には、位置決めストッパが突設されていることを特徴とする請求項１に記載の工具用キャビネットの引き出し用スライドレール固定構造。
【請求項３】
位置決めストッパは、上斜め前方に傾斜する案内斜面及びストッパ端を有し、スライドレール及びその第２の係合片は、スムーズに上方へ摺動して位置決めされ、スライドレールの第２の係合片が上方へ摺動し、引き出しの第２の係合ベースの側縁へ緊密に係合されることを特徴とする請求項２に記載の工具用キャビネットの引き出し用スライドレール固定構造。
【請求項４】
圧接ブロックの突出高さは、第１の係合ベース及び第２の係合ベースの突出高さと等しく、スライドレールの対応した壁面が引き出しの圧接ブロックにより安定的に支持されることを特徴とする請求項１に記載の工具用キャビネットの引き出し用スライドレール固定構造。
【請求項５】
固定部材は、プルスタッド、リベット又はネジであることを特徴とする請求項１に記載の工具用キャビネットの引き出し用スライドレール固定構造。
【考案の詳細な説明】
【技術分野】
【０００１】
本考案は、工具用キャビネットの引き出し用スライドレール固定構造に関するものであり、さらに詳しくは、容易かつ迅速に着脱自在な引出し用スライドレール構造を有し、引き出し用スライドの安定性に優れると共に、載荷重能力が高い工具用キャビネットの引き出し用スライドレール固定構造に関するものである。
【背景技術】
【０００２】
従来の工具用キャビネットのスライドレール及びガイドレール構造は、引き出しの２つの外側面にそれぞれ２つのスライドレールが螺設されているが、螺設構造が非常に複雑であり、スライドレールの着脱及び修理の場合に多くの時間がかかり、また、従来のスライドレールと引き出しの２つの外側面との間の強度が弱いため、引き出しに重い工具を収納して長期間使用した場合、引き出しのスライドレールが緩み、損壊する虞があった。
【０００３】
特許第３６２４９５８号公報（以下、「特許文献１」という。）には、スライド棚の引き出しストロークには限度があり、しかもスライド棚を一杯に引き出すとスライド棚が横揺れを起こすという問題に鑑み、スライドレールの係合孔と、スライドレールの側部に設けた角孔を利用して、インナーレールの後部、前部に設けたスプリング作用をもった第１、第２ストッパーとによってストローク幅を延長し、さらにインナーレールの前部にスライドレールを引き出した際、横揺れを防止する突部を形成したスライドレールの支持装置が記載されている。
【０００４】
また、特開２０１２−７５７１７号公報（以下、「特許文献２」という。）には、前方が開口したキャビネットの内側壁に固定される外スライドレールと、外スライドレール内に摺動可能に配設され、キャビネット内を前後方向に摺動する引き出しに対して着脱可能な内スライドレールとを備えたスライドレール構造が記載されている。
【０００５】
しかし、上記のいずれのスライドレール構造にも高重量に耐え得るスライドレール構造については具体的な開示がない。
【特許文献１】特許第３６２４９５８号公報
【特許文献２】特開２０１２−７５７１７号公報
【考案の概要】
【考案が解決しようとする課題】
【０００６】
本考案の課題は、引き出しが揺れ易く不安定であった従来技術の問題点を解決するために、安定性及び載荷重能力を高める工具用キャビネットの引き出し用スライドレール固定構造を提供することにある。
【課題を解決するための手段】
【０００７】
そこで、本考案者は、上記課題を解決するために鋭意検討を重ねた結果、スライドレールと引き出しとの間の間隙を小さくすることにより安定性及び載荷重能力を向上させ得る点に着目し、係る知見に基いて本考案に想到するに至った。
【０００８】
かくして、本考案によれば、工具用キャビネット、複数の引き出し及び少なくとも２つのスライドレールを備えた工具用キャビネットの引き出し用スライドレール固定構造であって、
工具用キャビネットは、中空状の箱形キャビネットであり、少なくとも２つのガイドレールに対応して係合される２つの内側面を有し、
引き出しは、工具用キャビネットの内部に上下に配列して収納され、各引き出しの何れか１つの外側面には、逆Ｌ字形の第１の係合ベース及び第２の係合ベースが貫設され、第１の係合ベース及び第２の係合ベースの前後両側の引き出し壁面には、圧接ブロックがそれぞれ突設され、
スライドレールには、略下向きのコ字状の第１の係合片及び第２の係合片が貫設され、引き出しの第１の係合ベース及び第２の係合ベースへそれぞれ係合され、スライドレールがガイドレールと摺動自在に嵌合され、引き出しが工具用キャビネット内で摺動自在であり、
各圧接ブロックには、第１の枢着孔が形成され、各スライドレールの対応した箇所に形成された第２の枢着孔に、複数の固定部材を挿設させることにより、スライドレールを圧接ブロックへ密着させて位置決めすることを特徴とする工具用キャビネットの引き出し用スライドレール固定構造が提供される。
【０００９】
第２の係合ベースの外側面頂部の所定箇所には、位置決めストッパが突設されていることが好ましい。
【００１０】
位置決めストッパは、上斜め前方に傾斜する案内斜面及びストッパ端を有し、スライドレール及びその第２の係合片は、スムーズに上方へ摺動して位置決めされ、スライドレールの第２の係合片が上方へ摺動し、引き出しの第２の係合ベースの側縁へ緊密に係合されることが好ましい。
【００１１】
圧接ブロックの突出高さは、第１の係合ベース及び第２の係合ベースの突出高さと等しく、スライドレールの対応した壁面が引き出しの圧接ブロックにより安定的に支持されることが好ましい。
【００１２】
固定部材は、プルスタッド、リベット又はネジであることが好ましい。
【考案の効果】
【００１３】
本考案は上記の通りの構成からなり、スライドレールと引き出しとの間の組立てを安定させることができ、引き出しをスライドレールからスムーズに引き出すことができるように載荷重能力を向上させることができる。
【図面の簡単な説明】
【００１４】
【図１】図１は、本考案の一実施形態に係る工具用キャビネットの引き出し用スライドレールの固定構造の工具用キャビネット及び引き出しを示す分解斜視図である。
【図２】図２は、本考案の一実施形態に係る工具用キャビネットの引き出し用スライドレールの固定構造の引き出し、スライドレール及びガイドレールを示す分解斜視図である。
【図３】図３は、本考案の一実施形態に係る工具用キャビネットの引き出し用スライドレールの固定構造のスライドレールを引き出しの外側面へ取り付けたときの状態を示し、少なくとも１つの固定部材によりスライドレールを、引き出しに設けられた圧接ブロックへ密着した状態を示す側面図である。
【図４】図４は、図３の線ａ−ａに沿った断面図である。
【図５】図５は、図３の線ｂ−ｂに沿った断面図である。
【考案を実施するための形態】
【００１５】
以下、本考案の実施形態について図面に基づいて説明する。なお、これによって本考案が限定されるものではない。
【００１６】
図１〜図５を参照する。図１〜図５に示すように本考案の一実施形態に係る工具用キャビネットの引き出し用スライドレール固定構造は、少なくとも工具用キャビネット１０と、複数の引き出し２０とから構成される。工具用キャビネット１０の２つの内側面１１には、各引き出し２０の２つの外側面２０１に対応した箇所にガイドレール１２がそれぞれ取り付けられている。ガイドレール１２は、従来の部材であるためここでは詳しく説明しない。各引き出し２０の２つの外側面２０１には、対応したスライドレール４０がそれぞれ取り付けられ、各引き出し２０は、スライドレール４０及びガイドレール１２により工具用キャビネット１０内で摺動自在である。
【００１７】
引き出し２０の何れか１つの外側面２０１には、逆Ｌ字形の第１の係合ベース２１及び第２の係合ベース２６が貫設されている。第１の係合ベース２１及び第２の係合ベース２６の前後両側に隣接した箇所には、圧接ブロック３０が突設されている。各圧接ブロック３０の突出高さは、第１の係合ベース２１及び第２の係合ベース２６の突出高さに等しい。各スライドレール４０には、略下向きのコ字状の第１の係合片４１及び第２の係合片４２が貫設される。引き出し２０の２つの外側面２０１上に設けられた第１の係合ベース２１及び第２の係合ベース２６は、スライドレール４０に設けられた第１の係合片４１及び第２の係合片４２内に嵌合されて摺動自在である。また、引き出し２０の２つの外側面２０１に設けられた第２の係合ベース２６の外側面頂部の所定箇所には、位置決めストッパ２９が突設されている。位置決めストッパ２９は、上斜め前方に傾斜する案内斜面２９２及びストッパ端２９１を有し、スライドレール４０及びその第２の係合片４２は、スムーズに上方へ摺動して位置決めされ、スライドレール４０の第２の係合片４２が上方へ摺動して第２の係合ベース２６に密着される。第１の係合ベース２１の底部前端には、位置規制ガイド２４が折り曲げられて形成され、第１の係合ベース２１の底部後端には、円弧角２３が形成され、スライドレール４０の第１の係合片４１が旋回して第１の係合ベース２１に外嵌される。続いて、引き出し２０の２つの外側面２０１に形成された第１の係合ベース２１及び第２の係合ベース２６の前後両側に隣接した箇所には、矩形平坦状の圧接ブロック３０がそれぞれ突設される。各圧接ブロック３０は、スライドレール４０に対向するように壁面に形成される。
【００１８】
本考案の主な改良の特徴は、複数の固定部材５０により、各スライドレール４０が引き出しの圧接ブロック３０の箇所へ緊密に組立てられる点にある。固定部材５０は、プルスタッド、リベット又はネジでもよい。各圧接ブロック３０は、第１の枢着孔３０１に貫設され、各スライドレール４０に対応して形成された第２の枢着孔４３に複数の固定部材５０を挿着し、スライドレール４０を圧接ブロック３０へ堅固に取り付け、本考案の工具用キャビネットの引き出し用スライドレール固定構造は、各スライドレール４０と引き出し２０の側壁との間に形成される間隙を小さくすることができるため、スライドレールと引き出しとの間の組み立てを安定させ、引き出しとスライドレールとの間の揺れにより不安定となる従来技術の欠点を無くし、引き出しをスライドレールからよりスムーズに引き出すことができるようにし、引き出し全体の載荷重能力を向上させることができる。
【００１９】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１０  工具用キャビネット
１１  内側面
１２  ガイドレール
２０  引き出し
２１  第１の係合ベース
２３  円弧角
２４  位置規制ガイド
２６  第２の係合ベース
２９  位置決めストッパ
３０  圧接ブロック
４０  スライドレール
４１  第１の係合片
４２  第２の係合片
４３  第２の枢着孔
５０  固定部材
２０１  外側面
２９１  ストッパ端
２９２  案内斜面
３０１  第１の枢着孔
【図１】
0003185102.tif 000003
【図２】
0003185102.tif 000004
【図３】
0003185102.tif 000005
【図４】
0003185102.tif 000006
【図５】
0003185102.tif 000007